(57)【要約】【課題】建築用パネルの外周部を見栄え良く納め得るパネル外周部納め用部材、及びこれを用いた建築用パネルの外周部納め構造を提供する。【解決手段】下地材２に取付けられる建築用パネル５０の外周部に沿って配設されるパネル外周部納め用部材１であって、前記建築用パネルの外周部における一コーナー部５２に向けて外周端部５１，５１に沿ってそれぞれ配設される見切り縁材２０，２０と、これら見切り縁材の前記コーナー部側に配される各端部を連結させるようにして配設されるとともに、これら各端部、及び該コーナー部を覆い隠すためのコーナーカバー４０とを備えており、前記見切り縁材は、前記建築用パネルの外周端部の端面５３に対して略平行に配設される端面カバー部２４を備え、該端面カバー部の下地材側縁部の表面側には、長手方向に沿ってシーリング材充填用の切欠段部２５が形成されている。【選択図】図１
2010168858.tif 000002
【特許請求の範囲】
【請求項１】
下地材に取付けられる建築用パネルの外周部に沿って配設されるパネル外周部納め用部材であって、
前記建築用パネルの外周部における一コーナー部に向けて外周端部に沿ってそれぞれ配設される見切り縁材と、これら見切り縁材の前記コーナー部側に配される各端部を連結させるようにして配設されるとともに、これら各端部、及び該コーナー部を覆い隠すためのコーナーカバーとを備えており、
前記見切り縁材は、前記建築用パネルの外周端部の端面に対して略平行に配設される端面カバー部を備え、該端面カバー部の下地材側縁部の表面側には、長手方向に沿ってシーリング材充填用の切欠段部が形成されていることを特徴とするパネル外周部納め用部材。
【請求項２】
請求項１において、
前記コーナーカバーの内側面には、前記見切り縁材の切欠段部に係止する係止突起が形成されていることを特徴とするパネル外周部納め用部材。
【請求項３】
請求項１または２において、
前記コーナーカバーの内側面には、前記下地材との間に空所を形成するように、該下地材に対面して配される対面部を有した突起部が設けられていることを特徴とするパネル外周部納め用部材。
【請求項４】
請求項１乃至３のいずれか１項において、
前記見切り縁材は、前記端面カバー部を有した見切りカバー部材と、前記下地材に固定される見切り受け部材とを備え、これら見切りカバー部材及び見切り受け部材の一方には、係合凹部が設けられ、他方には該係合凹部に嵌め入れられる係合凸部が設けられており、
前記見切りカバー部材を、前記下地材に対して固定保持するために該下地材に固定される固定具を更に備えていることを特徴とするパネル外周部納め用部材。
【請求項５】
請求項４において、
前記見切りカバー部材は、前記端面カバー部に連成されるとともに、前記建築用パネルの外周端部の表面に対して略平行に配設される表面カバー部を備え、
前記固定具は、前記下地材に固定される固定基部と、該固定基部に連成されるとともに、前記コーナー部側にそれぞれ配される前記表面カバー部の各端部の表面にそれぞれ当接される一対の押さえ片とを備えており、
前記コーナーカバーの内側には、前記一対の押さえ片を収容するための収容凹部が形成されていることを特徴とするパネル外周部納め用部材。
【請求項６】
請求項１乃至５のいずれか１項に記載されたパネル外周部納め用部材を用いて前記建築用パネルの外周部を納める建築用パネルの外周部納め構造であって、
前記建築用パネルの外周部には、前記コーナー部に向けて前記外周端部に沿って、前記見切り縁材がそれぞれ配設され、かつ、該見切り縁材の前記切欠段部と、前記下地材とによって形成された凹溝部には、シーリング材が充填されており、
これら見切り縁材の前記コーナー部側に配された各端部には、これら各端部を連結させるようにして前記コーナーカバーが配設されて、これら各端部、及び該コーナー部を覆い隠す構造とされていることを特徴とする建築用パネルの外周部納め構造。
【発明の詳細な説明】
【技術分野】
【０００１】
本発明は、建築用パネルの外周部に沿って配設されるパネル外周部納め用部材、及びこれを用いた建築用パネルの外周部納め構造に関する。
【背景技術】
【０００２】
従来より、住宅等の建物の壁や天井等に取付け施工される建築用パネルの外周端部には、該端部を被覆する見切り縁材が、該端部に沿って配設されている。
このような見切り縁材は、石膏ボードや合板捨張下地等の下地ボード、あるいは胴縁や受け桟、天井野縁等の下地桟等の下地材に、並列配置されて取付けられる複数枚の内装パネルや外装パネル、天井パネル等の建築用パネルの外周端部に沿って該下地材に取付け固定される。
【０００３】
従来の見切り縁材としては、例えば、下記特許文献１には、内装材や外装材等の乾式壁材の端部をカバーしたり、軒天、窓回りの納めに使用する止縁（見切り縁材）が提案されている。
上記止縁は、壁下地に固定される敷目板（受け部材）と、該敷目板に設けられた係合溝に嵌め入れる係止片を有した化粧カバーとを備え、該敷目板の係合部の上部の表面側には弾性体が装着された構造とされている。
このような構造とされた止縁では、上記敷目板と化粧カバーとによって乾式壁材の端部の端面と該端面近傍表面とをカバーするとともに、前記弾性体が当該止縁と軒天との空隙に充填されるように配設され、これにより、防水性が向上される、と説明されている。
【先行技術文献】
【特許文献】
【０００４】
【特許文献１】特開平７−２５９３１８号公報（図１参照）
【発明の概要】
【発明が解決しようとする課題】
【０００５】
しかしながら、上記特許文献１に記載された止縁では、当該止縁と軒天との空隙に充填されるように配設された弾性体が、手前側から見た状態では、露出しており、見栄えが悪いという問題があった。
また、上記のように、壁材の軒天側の一端部のみに沿って止縁（見切り縁材）を配設する態様ではなく、壁材などの建築用パネルの外周部における一コーナー部に向けて、該パネルの外周端部のそれぞれに沿って、上記見切り縁材を配設するような態様では、これら見切り縁材のコーナー部側に配された各端部が露出してしまい、該コーナー部における見栄えも悪くなるという問題があった。
【０００６】
本発明は、上記実情に鑑みなされたものであり、建築用パネルの外周部を見栄え良く納め得るパネル外周部納め用部材、及びこれを用いた建築用パネルの外周部納め構造を提供することを目的としている。
【課題を解決するための手段】
【０００７】
前記目的を達成するために、本発明に係るパネル外周部納め用部材は、下地材に取付けられる建築用パネルの外周部に沿って配設されるパネル外周部納め用部材であって、前記建築用パネルの外周部における一コーナー部に向けて外周端部に沿ってそれぞれ配設される見切り縁材と、これら見切り縁材の前記コーナー部側に配される各端部を連結させるようにして配設されるとともに、これら各端部、及び該コーナー部を覆い隠すためのコーナーカバーとを備えており、前記見切り縁材は、前記建築用パネルの外周端部の端面に対して略平行に配設される端面カバー部を備え、該端面カバー部の下地材側縁部の表面側には、長手方向に沿ってシーリング材充填用の切欠段部が形成されていることを特徴とする。
【０００８】
本発明に係る前記パネル外周部納め用部材においては、前記コーナーカバーの内側面に、前記見切り縁材の切欠段部に係止する係止突起を形成したものとしてもよい。
【０００９】
本発明に係る前記いずれかのパネル外周部納め用部材においては、前記コーナーカバーの内側面に、前記下地材との間に空所を形成するように、該下地材に対面して配される対面部を有した突起部を設けるようにしてもよい。
【００１０】
本発明に係る前記いずれかのパネル外周部納め用部材においては、前記見切り縁材を、前記端面カバー部を有した見切りカバー部材と、前記下地材に固定される見切り受け部材とを備えたものとし、これら見切りカバー部材及び見切り受け部材の一方には、係合凹部を設け、他方には該係合凹部に嵌め入れられる係合凸部を設け、さらに、前記見切りカバー部材を、前記下地材に対して固定保持するために該下地材に固定される固定具を備えたものとしてもよい。
【００１１】
上記構成とされたパネル外周部納め用部材においては、前記見切りカバー部材を、前記端面カバー部に連成されるとともに、前記建築用パネルの外周端部の表面に対して略平行に配設される表面カバー部を備えたものとし、前記固定具を、前記下地材に固定される固定基部と、該固定基部に連成されるとともに、前記コーナー部側にそれぞれ配される前記表面カバー部の各端部の表面にそれぞれ当接される一対の押さえ片とを備えたものとし、さらに、前記コーナーカバーの内側に、前記一対の押さえ片を収容するための収容凹部を形成したものとしてもよい。
【００１２】
また、前記目的を達成するために、本発明に係る建築用パネルの外周部納め構造は、前記いずれかのパネル外周部納め用部材を用いて前記建築用パネルの外周部を納める建築用パネルの外周部納め構造であって、前記建築用パネルの外周部には、前記コーナー部に向けて前記外周端部に沿って、前記見切り縁材がそれぞれ配設され、かつ、該見切り縁材の前記切欠段部と、前記下地材とによって形成された凹溝部には、シーリング材が充填されており、これら見切り縁材の前記コーナー部側に配された各端部には、これら各端部を連結させるようにして前記コーナーカバーが配設されて、これら各端部、及び該コーナー部を覆い隠す構造とされていることを特徴とする。
【発明の効果】
【００１３】
本発明に係る前記パネル外周部納め用部材は、前記コーナー部に向けて前記外周端部に沿ってそれぞれ配設される見切り縁材と、これら見切り縁材の前記コーナー部側に配される各端部を連結させるようにして配設されるとともに、これら各端部、及び該コーナー部を覆い隠すためのコーナーカバーとを備えているので、当該パネル外周部納め用部材を用いることで、建築用パネルの外周部を、これら見切り縁材と、コーナーカバーとによって見栄え良く納めることができる。
また、前記見切り縁材の端面カバー部の下地材側縁部の表面側には、長手方向に沿ってシーリング材充填用の切欠段部が形成されているので、該見切り縁材を上記建築用パネルの外周端部に沿って配設した際には、該切欠段部と、下地材とによって凹溝部が形成される。従って、該凹溝部にシーリング材を充填することができるので、施工された建築用パネルに対面した際に、上記切欠段部に充填されたシーリング材が目立ち難く、該建築用パネルの外周部を、外観良く納めることができる。
【００１４】
本発明に係る前記パネル外周部納め用部材において、前記コーナーカバーの内側面に、前記見切り縁材の切欠段部に係止する係止突起を形成したものとすれば、上記見切り縁材に形成された切欠段部を、コーナーカバーに設けられた係止突起用の被係止部として兼用することができるとともに、コーナーカバーを見切り縁材に対して係止させて取付けることができ、施工性を向上させることができる。
【００１５】
本発明に係る前記いずれかのパネル外周部納め用部材において、前記コーナーカバーの内側面に、前記下地材との間に空所を形成するように、該下地材に対面して配される対面部を有した突起部を設けるようにすれば、上記コーナーカバーを、上記下地材に対して接着剤にて接着する際に、上記突起部の対面部と、下地材との間の空所に、接着剤を介在させることができ、上記下地材に対するコーナーカバーの接着性を向上させることができる。
【００１６】
本発明に係る前記いずれかのパネル外周部納め用部材において、前記見切り縁材を、前記端面カバー部を有した見切りカバー部材と、前記下地材に固定される見切り受け部材とを備えたものとし、これら見切りカバー部材及び見切り受け部材の一方には、係合凹部を設け、他方には該係合凹部に嵌め入れられる係合凸部を設け、さらに、前記見切りカバー部材を、前記下地材に対して固定保持するために該下地材に固定される固定具を備えたものとすれば、以下の効果を奏する。
すなわち、見切り受け部材と見切りカバー部材とは、係合凹部に係合凸部を嵌め入れることで取付けることができるので、容易に施工することができる。
【００１７】
また、上記のように、下地材に固定された見切り受け部材に対して取付けられる見切りカバー部材は、下地材に固定される固定具によって、下地材に対して固定保持させることができるので、上記見切りカバー部材が見切り受け部材から脱離するようなことがなく、該見切りカバー部材を下地材に対して強固に固定させることができる。これにより、見切りカバー部材を下地材に対して強固に固定させた状態で、上記端面カバー部に設けられたシーリング材充填用の切欠段部にシーリング材を充填することができるので、乾燥、硬化したシーリング材が変形するようなことを低減できる。
さらに、見切り縁材を、見切りカバー部材と、見切り受け部材とを備えた構成としているので、例えば、下地材に固定される見切り受け部材を取り扱い性及び施工性等の観点から合成樹脂製のものとし、見切りカバー部材を見栄え及び剛性等の観点から金属製のものとすることもできる。
【００１８】
上記構成とされたパネル外周部納め用部材において、前記見切りカバー部材を、前記端面カバー部に連成されるとともに、前記建築用パネルの外周端部の表面に対して略平行に配設される表面カバー部を備えたものとし、前記固定具を、前記下地材に固定される固定基部と、該固定基部に連成されるとともに、前記コーナー部側にそれぞれ配される前記表面カバー部の各端部の表面にそれぞれ当接される一対の押さえ片とを備えたものとし、さらに、前記コーナーカバーの内側に、前記一対の押さえ片を収容するための収容凹部を形成したものとすれば、以下の効果を奏する。
上記固定具を、前記表面カバー部の各端部の表面にそれぞれ当接される一対の押さえ片を有した簡易な構造とできるとともに、見切りカバー部材側にも固定具を係合させるための係合部等を形成する必要がなく、該見切りカバー部材を簡易な構造とできる。
また、該固定具の一対の押さえ片は、上記コーナーカバーの内側に形成された収容凹部に収容させることができるので、該固定具が露出するようなことがなく、美観性を向上させることができる。
【００１９】
本発明に係る前記建築用パネルの外周部納め構造によれば、上記いずれかのパネル外周部納め用部材を用いて建築用パネルの外周部を納めるようにしているので、該建築用パネルの外周部を上記同様、見栄え良く納めて、該建築用パネルを施工することができる。
【図面の簡単な説明】
【００２０】
【図１】（ａ）〜（ｃ）は、いずれも本発明に係るパネル外周部納め用部材の一実施形態を用いた建築用パネルの外周部納め構造の一例を示し、（ａ）は、図２（ｂ）におけるＹ１−Ｙ１線矢視概略断面図、（ｂ）は、図２（ｂ）におけるＹ２−Ｙ２線矢視概略断面図、（ｃ）は、図７（ｂ）におけるＹ３−Ｙ３線矢視概略断面図である。
【図２】（ａ）、（ｂ）は、いずれも同パネル外周部納め用部材を用いて、壁面に施工された建築用パネルの施工状態の一例を示し、（ａ）は、概略正面図、（ｂ）は、（ａ）におけるＸ部を拡大して示す概略正面図である。
【図３】同パネル外周部納め用部材を模式的に示す概略分解図である。
【図４】（ａ）〜（ｃ）は、それぞれ同パネル外周部納め用部材を構成する各部材を示し、（ａ）は、コーナーカバーを横置きにした状態を示す概略斜視図、（ｂ）は、同コーナーカバーの概略背面図、（ｃ）は、固定具の概略斜視図である。
【図５】（ａ）は、図２（ａ）におけるＺ１−Ｚ１線矢視概略断面図、（ｂ）は、図２（ａ）におけるＺ２−Ｚ２線矢視概略断面図である。
【図６】（ａ）、（ｂ）は、いずれも同パネル外周部納め用部材を用いた建築用パネルの施工手順の一例を説明するための説明図であり、それぞれ図２（ａ）におけるＸ部に対応させた概略分解正面図である。
【図７】（ａ）、（ｂ）は、いずれも同パネル外周部納め用部材を用いた建築用パネルの施工手順の一例を説明するための説明図であり、それぞれ図２（ａ）におけるＸ部に対応させた概略分解正面図である。
【発明を実施するための形態】
【００２１】
以下に本発明の実施の形態について、図面に基づいて説明する。
尚、以下の実施形態では、パネル外周部納め用部材等を壁面に対して取付けた例を示しており、それに応じて縦、横の方向を示しているが、天井面に対してパネル外周部納め用部材等を取付けた場合には、その方向は限定されない。
【００２２】
本実施形態に係るパネル外周部納め用部材１は、図２（ａ）に示すように、下地材としての壁面材２に対して、縦横のそれぞれに複数枚の矩形状の建築用パネル５０,・・・を並列させて取付け施工された複数枚からなる建築用パネル５０の集合体の外周部の全周に沿って配設されている。
このパネル外周部納め用部材１は、大略的に、図３に示すように、見切り受け部材１０及び見切りカバー部材２０からなる見切り縁材と、該見切り縁材の見切りカバー部材２０を壁面材２に対して固定保持するための固定具としての固定金具３０と、上記建築用パネル５０の集合体の外周部における各コーナー部５２（図２（ｂ）参照）に配設されたコーナーカバー４０とを備えている。
【００２３】
尚、上記パネル外周部納め用部材１が取付けられる下地材としては、図２（ａ）に示すような壁面材２に限られず、図２（ａ）に示す天井材３としてもよい。このように、壁面材２や天井材３を下地材とする場合には、例えば、壁クロスや壁紙等が貼着された壁仕上げ面や天井仕上げ面等を下地材として把握してもよく、或いは、壁クロスや壁紙等が貼着されている場合には、それらを剥離して、石膏ボードや合板捨張下地等の下地ボードを露出させてそれらを下地材として把握してもよい。または、新築時等においては、壁クロスや壁紙等が貼着される前の下地ボードを下地材として把握してもよい。若しくは、胴縁や受け桟、天井野縁等の下地桟等を下地材として把握してもよい。
また、内壁や天井に限らず、外壁（不図示）に本実施形態に係るパネル外周部納め用部材１を施工するようにしてもよい。
【００２４】
さらに、本実施形態では、パネル外周部納め用部材１を、縦横のそれぞれに複数枚の建築用パネル５０,・・・を並列させて取付け施工された複数枚からなる建築用パネル５０の集合体の外周部の全周に沿って配設した態様を例示しているが、例えば、一枚からなる建築用パネルの外周部の全周に沿って配設したり、縦又は横に並列された複数枚からなる建築用パネルの集合体の外周部の全周に沿って配設したりするようにしてもよい。
また、上記建築用パネル（集合体も含む）の外周部の全周に沿って配設する態様に限られず、例えば、該外周部の少なくとも一コーナー部を含み、該コーナー部に隣接する建築用パネルの外周端部のそれぞれに沿って配設するような態様としてもよい。
【００２５】
上記見切り縁材は、大略的に、図３に示すように、釘やタッカー、ステイプル、木ねじｔｓ（図６（ａ）参照）等の固定止具によって壁面材２に固定される見切り受け部材１０と、該見切り受け部材１０をカバーし、該見切り受け部材１０に対して着脱自在に取付けられる見切りカバー部材２０とを備えている。
上記見切り受け部材１０は、上記壁面材２に取付け固定される平板状に形成された第１固定片部１１及び第２固定片部１２と、これら固定片部１１，１２から立ち上がるように、壁面材２に対して垂直となる方向（建築用パネル５０の厚さ方向）に沿って立設された立ち上がり壁部１３と、該立ち上がり壁部１３の立ち上がり方向先端部（手前側端部）から基端部側（壁面材２側）に向けて凹設された係合凹溝１４と、該立ち上がり壁部１３の上記先端部から幅方向かつ建築用パネル５０が配される側に向けて突設され、建築用パネル５０の外周端部５１の表面５４に当接される折り曲げ片部１５ａを有した当接片部１５とを備えている。
【００２６】
上記第１固定片部１１及び第２固定片部１２は、上記立ち上がり壁部１３の基端部から幅方向両側に向けて延設されており、一方の比較的、幅広に形成された第１固定片部１１が、建築用パネル５０の外周端部５１側に配置され、他方の比較的、幅狭に形成された第２固定片部１２が外方側（建築用パネルが配される側とは異なる側）に配置される。
これら第１固定片部１１及び第２固定片部１２のうちの少なくともいずれか一方に、木ねじｔｓ等の固定止具が捻じ込まれ（或いは打ち込まれ）、見切り受け部材１０が壁面材２に対して取付け固定される。
【００２７】
上記立ち上がり壁部１３は、壁面材２に取付け施工される建築用パネル５０の外周端部５１の端面５３に対面して配される対面部を有し、該対面部は、基端側（壁面材２側）の基端側対面部１３ａよりも先端側の先端側対面部１３ｂが外方側に位置するように形成されており、これにより、該対面部に段状の切欠を形成している。すなわち、該立ち上がり壁部１３の基端側対面部１３ａに、建築用パネル５０の端面５３が当接して配された場合に、上記先端側対面部１３ｂには、該端面５３が当接せず、該端面５３と先端側対面部１３ｂとの間に、僅かな空間が形成されるよう、上記段状の切欠を形成している。この段状の切欠が、後記する見切りカバー部材２０の係合突条２３が上記係合凹溝１４に嵌め入れられる際における立ち上がり壁部１３の対面部の弾性変形を伴った幅方向（建築用パネル５０の端面５３方向）への変形を許容するための逃げ凹所として機能する。
【００２８】
上記係合凹溝１４は、当該見切り受け部材１０の長手方向の全長に亘って凹設されており、その開口縁近傍の両内側面に、該凹溝の幅を狭めるようにして突出された係止凸部を長手方向の全長に亘って有している。この係合凹溝１４の係止凸部に後記する係合突条２３が着脱自在に係止される。
上記当接片部１５は、上記立ち上がり壁部１３の先端部から内方側（建築用パネルが配される側）に向けて突出するように形成されている。また、該当接片部１５は、その内方側端部に、建築用パネル５０の表面５４側に向けて折り曲げ形成されるとともに、該表面５４に当接される折り曲げ片部１５ａを有している。換言すれば、当接片部１５の基端側（立ち上がり壁部１３側）の裏面には、上記表面５４が当接せず、該当接片部１５の基端側裏面と、該表面５４との間に空隙が形成される構造とされている。
【００２９】
上記折り曲げ片部１５ａは、後記するように、建築用パネル５０の外周端部５１が嵌め入れられる際に、スムーズにその嵌め入れがなされるよう、その当接側の端部（表面５４に当接される部位）が、丸みを帯びた形状とされるとともに、立ち上がり壁部１３側に向けて傾斜するような形状とされている。
また、上記当接片部１５は、図１（ａ）に示すように、その内方側端面が、後記する見切りカバー部材２０の当接片カバー部２２の内方側端面よりも僅かに外方側となる位置に配されるように上記立ち上がり壁部１３からの出幅が設定されている。この当接片部１５の上記出幅は、後記するように建築用パネル５０を壁面材２に対して取付け施工する際に、建築用パネル５０を仮保持し得る程度の出幅としてもよい。
【００３０】
上記見切り受け部材１０は、本実施形態では、上記第１固定片部１１と、上記立ち上がり壁部１３と、上記当接片部１５とによって、断面形状が略コ字状とされており、該コ字状の開放空間に、建築用パネル５０の外周端部５１が嵌め込まれて、収容される構造とされている。上記立ち上がり壁部１３の第１固定片部１１からの高さは、建築用パネル５０の厚さに応じて、上記当接片部１５の上記折り曲げ片部１５ａが、建築用パネル５０の表面５４に当接乃至は弾接し得るよう、適宜、設定されている。
尚、該立ち上がり壁部１３の高さを、建築用パネル５０の厚さよりも僅かに小さくするようにしてもよい。この場合は、上記当接片部１５の折り曲げ片部１５ａが上記表面５４に対して弾性的に接し、該折り曲げ片部１５ａの弾性復元力によって該建築用パネル５０の外周端部５１をより強固に仮保持できる。
【００３１】
上記見切り受け部材１０は、本実施形態では、ポリプロピレンや、ＡＢＳ、ポリエチレンテレフタレート、ポリカーボネート、ＰＰＳ等の合成樹脂材料から押出成形や射出成形、切削加工等によって一体的に成形され、長尺に形成されている。
また、上記見切り受け部材１０を、異材質成形（二色成形）等によって、その折り曲げ片部１５ａ（或いは、当接片部１５全体）を、例えば、比較的、軟質の合成樹脂材料からなるものとし、該見切り受け部材１０の他の部位を、比較的、硬質の合成樹脂材料からなるものとしてもよい。
尚、見切り受け部材１０としては、上記のような合成樹脂製に限られず、アルミニウムやステンレス等の金属材料から押出成形やプレス成形あるいは切削加工等によって一体的に成形した金属製のものとしてもよい。
また、上記見切り受け部材１０の第１固定片部１１及び第２固定片部１２の厚さは、１．０ｍｍ程度〜３．０ｍｍ程度の薄板状とすることが好ましい。これにより、建築用パネル５０を、例えば、より強固に取付け施工するために、壁面材２に対して接着剤で接着するような場合においても、接着剤の塗布量を低減できるとともに接着剤の塗布工程も簡易なものとなる。
【００３２】
上記見切りカバー部材２０は、断面形状が略Ｌ字状とされて、その一辺部が建築用パネル５０の表面５４と略平行に形成された表面カバー部２１とされ、その他辺部が上記壁面材２に対して垂直方向に沿って形成された端面カバー部２４とされている。すなわち、上記表面カバー部２１は、建築用パネル５０の表面５４に対して略平行に配設され、上記い端面カバー部２４は、建築用パネル５０の端面５３に対して略平行に配設される。
上記表面カバー部２１の内方側の側端部部位が上記見切り受け部材１０の当接片部１５の表面を覆い、該当接片部１５の表面に当接して配置される当接片カバー部２２を構成する。
この当接片カバー部２２の内方側端面は、上記したように、上記見切り受け部材１０の当接片部１５の内方側端面よりも僅かに内方側となる位置に配されるよう形成されている。この当接片カバー部２２の当接片部１５よりも内方側に突き出た部位に、後記するコーナーカバー４０の内方側係止突起４４が係止される。
【００３３】
上記表面カバー部２１の裏面側部位には、壁面材２側に向けて係合突条２３が突設されており、該係合突条２３は、当該見切りカバー部材２０の長手方向の全長に亘って形成されている。
該係合突条２３の中程の部位には、幅方向両側に向けて突出された係止凸部が長手方向の全長に亘って形成されている。この係合突条２３の係止凸部が、上記係合凹溝１４に該係合突条２３を嵌め入れた際に、該係合凹溝１４の係止凸部に係止して、当該見切りカバー部材２０が、上記見切り受け部材１０に係合保持される。
本実施形態では、これら係合突条２３と、係合凹溝１４とは、上記壁面材２に対して略垂直となる方向に沿って係合される構造とされるとともに、上記見切りカバー部材２０が上記見切り受け部材１０に対して着脱自在となるよう形成されている。
【００３４】
上記端面カバー部２４の壁面材２側の縁部の表面側には、当該見切りカバー部材２０の長手方向の全長に亘って、シーリング材充填用の切欠段部２５が長手方向に沿って形成されている。
この端面カバー部２４の壁面材２側の縁部が、壁面材２に当接された状態では、図１（ａ）に示すように、上記切欠段部２５と、壁面材２とによって外方側に向けて開口した凹溝部が、当該見切りカバー部材２０の長手方向の全長に亘って形成され、該凹溝部にシーリング材ｓｍが充填される。
当該見切りカバー部材２０と、上記見切り受け部材１０との係合がなされた状態では、上記端面カバー部２４は、該見切り受け部材１０の外方側側部の略全体を覆い隠すように形成されており、また、上記表面カバー部２１は、上記見切り受け部材１０の第２固定片部１２及び立ち上がり壁部１３の手前側の略全体を覆い隠すように形成されている。
また、上記見切りカバー部材２０は、本実施形態では、アルミニウムやステンレス等の金属材料から押出成形やプレス成形あるいは切削加工等によって一体的に成形され、上記見切り受け部材１０と同様、長尺に形成されている。
【００３５】
上記のように、見切りカバー部材２０を金属製のものとすることで、当該見切り縁材の表面側に露出する部位の高級感（素材感）を高めることができ、美観性に優れたものとなる。
また、本実施形態では、該見切りカバー部材２０を金属製のものとし、上記見切り受け部材１０を合成樹脂製のものとしているので、これらを係合させる際、すなわち、上記係合突条２３を係合凹溝１４に嵌め入れる際に、スムーズに嵌め入れることができ、施工時にスムーズに組み付けることができる。
さらに、合成樹脂製の見切り受け部材１０の当接片部１５を、金属製の見切りカバー部材２０の当接片カバー部２２によって効果的に補強することができ、建築用パネル５０の外周端部５１を強固に保持できる。
さらにまた、上記見切りカバー部材２０は、上記見切り受け部材１０に対して着脱自在に係合保持される構造とされているので、例えば、見切りカバー部材２０を模様替え等のために交換したり、或いは、廃棄等したりする際に、容易に脱離させることができる。
尚、見切りカバー部材２０としては、上記のような金属製に限られず、上記したような合成樹脂製としてもよい。
【００３６】
上記固定金具３０は、本実施形態では、図３及び図４（ｃ）に示すように、ねじＢ（図１及び図７（ｂ）参照）が挿通される挿通孔３２が開設され、壁面材２に当接されて固定される固定基部３１と、該固定基部３１から壁面材２に対して垂直となる方向に沿って立ち上がるように連成された一対の連結片３３，３３と、該連結片３３，３３のそれぞれから壁面材２に対して略平行となる方向に沿って屈曲されて連成された一対の押さえ片３４，３４とを備えている。
該固定金具３０は、図７（ａ）に示すように、平面視して上記固定基部３１から上記一対の押さえ片３４，３４が略Ｌ字状に延びるような形状とされ、これら一対の押さえ片３４，３４が、上記見切りカバー部材２０の表面カバー部２１のコーナー部側の各端部２１ａ，２１ａにそれぞれ当接される。
【００３７】
また、上記一対の連結片３３，３３は、図４（ｃ）及び図７（ａ）に示すように、互いの近接側端縁が当接されて、平面視して略直角に切り欠いたような位置決め用入隅部３３ａを形成している。この位置決め用入隅部３３ａを、建築用パネル５０のコーナー部５２の出隅に沿うように当接させることで、壁面材２に対して固定金具３０を固定するために、後記するように下穴を開ける際の位置決めを容易に行うことができる。
上記のような一対の押さえ片３４，３４を有した固定金具３０とすることで、コーナー部５２において近接して配置された各見切りカバー部材２０，２０の各端部を、一つの固定金具３０によって、壁面材２に対して固定することができる。
尚、固定金具３０は、剛性の観点から金属製とすることが好ましいが、例えば、硬質の合成樹脂製のものとしてもよい。
【００３８】
上記コーナーカバー４０は、大略的に、図３及び図４（ａ），（ｂ）に示すように、天板部４１と、該天板部４１の外側二辺からそれぞれ壁面材２側に向けて垂設された側板部４５，４５とを備え、その内方空間に上記固定金具３０を収容するようにして覆い隠す構造とされている。
上記天板部４１は、図２（ａ）に示すように、建築用パネル５０のコーナー部５２に向けてそれぞれ配設された見切りカバー部材２０，２０の表面カバー部２１，２１の各端部２１ａ，２１ａを連結させるようにして、これら各端部２１ａ，２１ａ及び上記コーナー部５２を覆い隠す構造とされている。
この天板部４１の裏面には、図４（ａ），（ｂ）に示すように、上記固定金具３０の一対の押さえ片３４，３４を収容する収容凹部４２，４２が形成されている。
【００３９】
上記収容凹部４２，４２は、本実施形態では、一対の押さえ片３４，３４の形状に合わせて形成されている。このように、収容凹部４２を、押さえ片３４の形状に合わせた形状とすることで、当該コーナーカバー４０を、見切りカバー部材２０に取付けた際に、該コーナーカバー４０の位置ズレ等を低減できる。
尚、収容凹部４２の形状は、図例のような押さえ片３４の形状に合わせた形状に限られず、例えば、上記天板部４１の裏面側の略全体を刳り抜くようにして収容凹部を形成し、該刳り抜いた部位に、上記押さえ片３４を収容するような態様としてもよい。
【００４０】
また、上記天板部４１は、図２（ａ）に示すように、平面視して略Ｌ字状に形成されており、換言すれば、方形状の一角部が切り欠かれたような形状とされ、該切欠部が内方側に位置するように配設される。また、この切欠部の縁部からは、図３及び図４（ａ）に示すように、壁面材２側に向けて垂設された内側垂れ部４３，４３が形成されている。この内側垂れ部４３，４３のそれぞれは、上記側板部４５，４５のそれぞれと略平行となるよう形成されており、それぞれの内側面には、上記見切りカバー部材２０の当接片カバー部２２の内方側端部に係止する内方側係止突起４４，４４が形成されている。
【００４１】
上記側板部４５，４５は、図２（ａ）に示すように、建築用パネル５０のコーナー部５２に向けてそれぞれ配設された見切りカバー部材２０，２０の端面カバー部２４，２４の各端部を連結させるようにして、これら各端部及び上記コーナー部５２を覆い隠す構造とされている。
これら側板部４５，４５の各内側面にて形成される入隅部には、図３及び図４（ａ），（ｂ）に示すように、壁面材２との間に空所を形成するように、該壁面材２に対面して配される対面部４７ａを有した棚状部（突起部）４７が設けられている。
この棚状部４７は、壁面材２との間に接着剤溜まり部（接着剤納まり部）となる空所を形成するような対面部４７ａを有したものであれば、どのような形状のものでもよく、例えば、突起状に形成されたものや、図例のような入隅部に設けられたものに代えて、側板部４５，４５のそれぞれに設けるような態様としてもよい。
【００４２】
上記側板部４５，４５のそれぞれの内側面には、建築用パネル５０のコーナー部５２に向けてそれぞれ配設された見切りカバー部材２０，２０の上記切欠段部２５，２５に係止する切欠段部用の係止突起（外方側係止突起）４６，４６が形成されている。
すなわち、上記見切りカバー部材２０に設けられた切欠段部２５は、シーリング材充填用の凹溝部としての機能と、当該コーナーカバー４０の上記外方側係止突起４６，４６が係止される被係止部としての機能とを有している。
上記構成とされたコーナーカバー４０は、例えば、上記同様の合成樹脂材料から射出成形や切削加工等によって一体的に成形したり、上記同様のアルミニウムやステンレス等の金属材料から切削加工等によって一体的に成形したりしてもよい。或いは、ダイキャスト製としてもよい。
【００４３】
次に、上記構成とされた本実施形態に係るパネル外周部納め用部材１を用いて壁面材２に取付け施工された建築用パネル５０の施工状態及び該建築用パネル５０の外周部納め構造の一例について、図１，図２及び図５に基づいて説明する。
本例では、図２（ａ）に示すように、複数枚（図例では１２枚）の建築用パネル５０を縦横にそれぞれ並列配置して、壁面材２に対して部分的に取付け施工した例を示している。また、これら建築用パネル５０のそれぞれ隣接する端部間には、後記する横目地部材４と、縦目地部材７とが配設されており、これら横目地部材４と縦目地部材７とによって格子状に目地を形成するようにしている。
また、縦横にそれぞれ並列配置された複数枚からなる建築用パネル５０の集合体の外周部に沿って、上記パネル外周部納め用部材１が配設されており、該集合体の外周端部５１には、上記見切り縁材１０，２０がそれぞれ配設され、四隅の各コーナー部５２には、上記固定金具３０及びコーナーカバー４０がそれぞれ配設されている（図２（ｂ）も参照）。
【００４４】
上記建築用パネル５０のそれぞれは、矩形状の板状体からなり、例えば、木質系材料や上記同様の合成樹脂系材料、窯業系材料、上記同様の金属系材料等から形成されたものとしてもよい。
上記木質系材料としては、無垢の木材を板状に加工したものや、集成材や合板、ＬＶＬ（単板積層材）、パーティクルボード、或いは、インシュレーションボードやＭＤＦ（Ｍｅｄｉｕｍ  Ｄｅｎｓｉｔｙ  Ｆｉｂｅｒｂｏａｒｄ、中質繊維板、中密度繊維板とも言う）等の木質繊維板、或いはこれらを積層し組み合わせた複合材料などを板状に加工したもの、若しくは、これらを基材として、突き板や合成樹脂シート等の表面化粧シート材を更に貼着したものや、該基材の表面に化粧塗装を施したものが挙げられる。
上記窯業系材料としては、レンガ、瓦、セラミックスや、セメントを主成分として補強繊維や無機質充填材を含有したセメント系の窯業系材料等が挙げられる。
上記合成樹脂系材料、窯業系材料及び金属系材料は、それぞれ、上記木質系材料と同様、これらを基材として、更に突き板や樹脂シート等の化粧シート材を更に貼着したものや、該基材の表面に化粧塗装を施したものとしてもよい。
【００４５】
また、上記建築用パネル５０としては、種々の機能性が付与された機能性パネルとしてもよい。機能性パネルとしては、例えば、調湿パネルや吸音パネル、防音パネル、防汚パネル、抗菌パネル等が挙げられる。
あるいは照明装置を内蔵した照明パネルや、棚板を手前側に向けてパネルに突設した棚板パネル、前面開口箱形状の収納箱をパネルに付設した収納パネルとしてもよい。これら照明装置や棚板、収納箱は、パネルに対して着脱可能に設けるようにしてもよい。あるいは、棚板や収納箱をパネルと一体成形するようにしてもよい。
【００４６】
上記のように、建築用パネル５０を内装用の機能性パネルとした場合には、施工箇所や施工範囲（施工枚数）を適宜、選択・変更することで、例えば、調湿パネルを施工する場合には、室内の調湿機能が適切となるように調整できたり、吸音パネルを施工する場合には、室内の音響効果が適切となるように調整できたりする。
また、上記した種々の建築用パネル５０自体を下地材（壁面材２や天井材３等）に対して着脱可能とする構成としてもよい。すなわち、接着剤等で接着せずに、下地材側、及び建築用パネル５０の裏面側にそれぞれ係合部を設けて、容易に着脱できるようにしてもよい。後記するように、これら複数枚の建築用パネル５０の各端部は、上記見切り縁材１０，２０、後記する横目地部材４及び縦目地部材７によって、保持されているので、接着剤等で接着しない場合にも、下地材から不用意に脱離するようなことがなく、また、これら見切り縁材１０，２０、後記する横目地部材４及び縦目地部材７から脱離させることで、建築用パネル５０を容易に交換することができる。
【００４７】
尚、建築用パネル５０の形状は、図例のような略正方形状に限らず、長方形状のものとしてもよい。
また、建築用パネル５０の大きさは、施工箇所等に応じて適宜、設定可能であり、一辺が１００ｍｍ〜５００ｍｍ程度の比較的小モジュールのもの、一辺が５００ｍｍ〜９００ｍｍ程度の中モジュールのもの、あるいは、一辺が９００ｍｍ〜１８００ｍｍ程度の比較的大モジュールのものとしてもよい。
【００４８】
上記横目地部材４は、図２（ａ）に示すように、横方向に沿って並設された複数枚の建築用パネル５０の上下端部間、すなわち、上下に隣接する建築用パネル５０の端部間に配設されている。
また、該横目地部材４は、図５（ａ）に示すように、上記見切り縁材と同様、壁面材２に固定される固定片部５ｃや隣接する建築用パネル５０，５０の各端面に対面して配される立ち上がり壁部５ａ等を有した目地受け部材５と、該立ち上がり壁部５ａに形成された係合凹溝５ｂに嵌め込まれる係合突条６ｂを有したカバー目地部材６とを備えている。
該カバー目地部材６の基部６ａの手前側端部には、幅方向両側に向けて突出された鍔部６ｃ，６ｃが設けられており、該鍔部６ｃ，６ｃが建築用パネル５０の端面近傍表面に当接して、該端部の保持がなされている。
【００４９】
上記カバー目地部材６は、当該カバー目地部材６の係合突条６ｂを、上記目地受け部材５の係合凹溝５ｂに嵌め入れて、該目地受け部材５に着脱自在に係合保持される。
また、該横目地部材４は、横方向に並列配置された複数枚の建築用パネル５０の集合体の横方向の略全長に亘って配設されており、その長手方向の両端部には、建築用パネル５０の集合体の外周端部（左右端部）５１，５１にそれぞれ配設された上記見切り縁材の見切りカバー部材２０，２０の当接片カバー部２２，２２が配設され、該当接片カバー部２２，２２が抜け止めとして機能する。
【００５０】
上記縦目地部材７は、図２（ａ）に示すように、左右に隣接する建築用パネル５０の端部間に配設されており、上記横目地部材４と同様、図５（ｂ）に示すように、立ち上がり壁部８ａ、係合凹溝８ｂ及び固定片部８ｃを有した目地受け部材８と、係合突条９ｂを有したカバー目地部材９とを備えている。
上記カバー目地部材９は、上記横目地部材４と同様、当該カバー目地部材９の係合突条９ｂを、上記目地受け部材８の係合凹溝８ｂに嵌め入れて、該目地受け部材８に着脱自在に係合保持される。
この縦目地部材７は、その長さが各建築用パネル５０の縦方向の一辺に合わせて形成されている。すなわち、上記横目地部材４とは異なり、縦方向に分断されて配設されている。
上記カバー目地部材９の基部９ａの手前側端部には、幅方向両側に向けて突出された鍔部９ｃ，９ｃが設けられており、該鍔部９ｃ，９ｃが、上記横目地部材４と同様、建築用パネル５０の端面近傍表面に当接して、該端部の保持がなされている。
【００５１】
上記横目地部材４のカバー目地部材６の基部６ａ、及び上記縦目地部材７のカバー目地部材９の基部９ａの建築用パネル５０の表面から突出した部位（目地突出部）は、上記各鍔部６ｃ，６ｃ，９ｃ，９ｃを含み、それぞれ長手方向中心線から幅方向外方に向けて傾斜するように形成された凸湾曲面形状とされている。上記各鍔部のうち、横目地部材４の両鍔部６ｃ，６ｃの幅方向端面はそれぞれ略平端面とされている。
本実施形態では、上記横目地部材４の目地突出部の突出度が、図５（ａ）に示すように、上記縦目地部材７の目地突出部よりも大きくなるよう形成されており、該縦目地部材７のカバー目地部材９の長手方向端部における目地突出部の端面が、上記横目地部材４の両鍔部６ｃ，６ｃの幅方向端面に当接して配置され、該カバー目地部材９の長手方向端部の端面が露出しない構造とされている。
【００５２】
上記のような構造とすることで、交差するように設けられた横目地部材４と縦目地部材７との交差部において、縦目地部材７の長手方向端部が露出せず、見栄えが良い。また、該端部が露出しないので、例えば、シャープエッジ状部位が露出せず、衣服等が引っ掛かるようなことがない。また、各目地部材４，７の目地突出部は、丸みを帯びた形状とされているので、見栄えが良く、また、手触り（肌触り）も良い。
【００５３】
上記のように、縦横にそれぞれ並列配置された複数枚からなる建築用パネル５０の集合体の外周部には、上記パネル外周部納め用部材１が配設されている。
図１及び図２に示すように、上記見切り受け部材１０は、該集合体の外周端部５１の四辺に沿って、各コーナー部５２に向けて配設されるとともに、壁面材２に対して固定されている。これら見切り受け部材１０は、各建築用パネル５０のそれぞれ縦方向の一辺、及び横方向の一辺に合わせた長さに分断されて、上記集合体の左右端部５１，５１及び上下端部５１，５１に沿って配設されている。
また、該見切り受け部材１０の係合凹溝１４に係合突条２３を嵌め入れて、上記見切りカバー部材２０が取付けられている。これら見切りカバー部材２０は、上記集合体の左右端部５１，５１及び上下端部５１，５１のそれぞれの長さに合わせて形成されている。
この見切りカバー部材２０の端面カバー部２４における切欠段部２５と、壁面材２とによって形成された凹溝部には、図１（ａ）に示すように、シーリング材（コーキング材）ｓｍが長手方向に沿って、かつ、手前側から見た際に食み出さないように充填されている。
【００５４】
上記各コーナー部５２に向けてそれぞれ配設された見切りカバー部材２０の表面カバー部２１における各端部２１ａには、図１（ｃ）及び図７（ｂ）に示すように、壁面材２にねじＢによってその固定基部３１が固定された上記固定金具３０の一対の押さえ片３４，３４のそれぞれが当接して、これら各見切りカバー部材２０が、壁面材２に対して固定保持されている。
すなわち、本実施形態では、各コーナー部に配された四つの固定金具３０によって、四周に配された各見切りカバー部材２０の各端部を固定保持する態様とされている。
【００５５】
また、図１（ａ），（ｂ）及び図２（ｂ）に示すように、上記のように固定金具３０によって固定保持された各見切りカバー部材２０の各端部を連結させるようにして、上記コーナーカバー４０が各コーナー部に配設されており、上記見切り縁材の両端部、上記固定金具３０及び各コーナー部５２を覆い隠す構造とされている。
さらに、本実施形態では、上記固定金具３０の一対の押さえ片３４，３４は、上記コーナーカバー４０に形成された収容凹部４２，４２に収容されて覆い隠されている。
上記コーナーカバー４０は、上記側板部４５，４５に設けられた棚状部４７の対面部４７ａと壁面材２との間に形成された空所に接着剤を介在させて壁面材２に対して接着されるとともに、上記天板部４１の内側垂れ部４３，４３に設けられた内方側係止突起４４，４４、及び上記側板部４５，４５に設けられた外方側係止突起４６，４６を、それぞれ上記見切りカバー部材２０の当接片カバー部２２の内方側端部、及び切欠段部２５に係止させて、各コーナー部に取付けられている。
尚、上記切欠段部２５には、上記のようにシーリング材ｓｍが充填されているが、上記コーナーカバー４０の外方側係止突起４６，４６が係止する部位には、該シーリング材ｓｍを充填しないようにしてもよく、或いは、該シーリング材ｓｍが湿式のものである場合には、乾燥、硬化する前に、上記コーナーカバー４０を取付けるようにしてもよい。
【００５６】
次に、上記パネル外周部納め用部材１を含む各部材を用いて、建築用パネル５０を壁面材２に対して取付け施工する施工手順の一例を、図６及び図７に基づいて説明する。
まず、図６（ａ）に示すように、上記建築用パネル５０の集合体の外周端部５１に沿ってそれぞれ配設される見切り縁材のうちの床側端部及び左側端部に沿って配設される見切り縁材の各見切り受け部材１０，１０を、壁面材２に固定する（図２（ａ）も参照）。
すなわち、各見切り受け部材１０，１０の各第１固定片部１１，１１に対して木ねじ等の固定止具ｔｓを捻じ込んで（釘等の場合は打ち込んで）、壁面材２に各見切り受け部材１０，１０を固着させる。この際、見切り受け部材１０は、上記したように合成樹脂製であるとともに、各固定片部１１，１２は、比較的、薄板状とされているので、上記固定止具ｔｓを、所望する位置の適所に止着させることができ、施工性が良い。
【００５７】
次いで、図６（ｂ）に示すように、これら見切り受け部材１０，１０の上記コ字状空間に、最床側かつ最左方側に取付け施工する建築用パネル５０の外周端部（床側端部及び左側端部）５１，５１をそれぞれ嵌め入れる。
この状態では、当該建築用パネル５０の床側端面近傍表面５４及び左側端面近傍表面５４には、各見切り受け部材１０，１０の当接片部１５，１５の折り曲げ片部１５ａ，１５ａがそれぞれ当接して、該建築用パネル５０が仮保持された状態となる。
【００５８】
次いで、詳細な説明は、省略するが、当該建築用パネル５０の右側端部に沿って、上記縦目地部材７（図５（ｂ）参照）の目地受け部材８を壁面材２に固着させ、最床側かつ中央の建築用パネル５０の床側端部を上記同様、床側端部に沿って配設された見切り受け部材１０のコ字状空間に嵌め入れ、縦目地部材７のカバー目地部材９を目地受け部材８に取付ける。さらに、同様にして、縦目地部材７及び最床側かつ最右方側の建築用パネル５０を取付け施工する。この状態では、最床側の３枚の建築用パネル５０が仮施工された状態となり、さらに、これら３枚の建築用パネル５０の天井側端部に沿って、上記横目地部材４（図５（ａ）参照）の目地受け部材５及びカバー目地部材６を壁面材２に取付け固定する。以下、同様にして、建築用パネル５０並びに隣接する建築用パネル５０の端部間に上記縦目地部材７及び上記横目地部材４を取付け施工する。
【００５９】
次いで、上記建築用パネル５０の集合体の外周端部５１に沿ってそれぞれ配設される見切り縁材のうちの天井側端部及び右側端部に沿って配設される見切り縁材の各見切り受け部材１０を、壁面材２に固定する（図２も参照）。
この際、各見切り受け部材１０，１０の各第１固定片部１１，１１を、上記建築用パネル５０の集合体の天井側端部及び右側端部のそれぞれ裏面と壁面材２との間に差し込むようにして配設し、各第２固定片部１２，１２に対して上記同様の固定止具ｔｓを止着させるようにしてもよい（図１（ａ）も参照）。このように、第２固定片部１２，１２に対して固定止具ｔｓを止着させた場合にも、該第２固定片部１２，１２は、上記したように見切りカバー部材２０によって覆い隠されるので、美観性を阻害することがない。
【００６０】
次いで、図７（ａ）に示すように、上記のように壁面材２に対して取付け固定された各見切り受け部材１０の係合凹溝１４に、各見切りカバー部材２０の係合突条２３を嵌め入れ、各見切り受け部材１０に、各見切りカバー部材２０を取付ける。
この状態では、上記したように、各見切り受け部材１０の外表面は、当接片部１５（折り曲げ片部１５ａを含む）の内方側端面を除いて、上記見切りカバー部材２０に覆い隠されて、露出せず、これら複数枚からなる建築用パネル５０の集合体の外周端部の美観性を向上させることができる。
【００６１】
次いで、図７（ｂ）に示すように、上記各見切りカバー部材２０の表面カバー部２１の各端部２１ａに、上記固定金具３０の一対の押さえ片３４，３４をそれぞれ当接させて、該固定金具３０を壁面材２に対して固定することで、該見切りカバー部材２０を壁面材２に対して固定する（図１（ｃ）も参照）。
このように、見切りカバー部材２０を壁面材２に対して固定させた後、図１（ａ）に示すように、該見切りカバー部材２０の端面カバー部２４における切欠段部２５と、壁面材２とによって形成された凹溝部に、シーリング材（コーキング材）ｓｍを、長手方向に沿って、かつ、手前側から見た際に食み出さないように充填する。
【００６２】
上記固定金具３０を、壁面材２に固定する際に使用する固定止具は、例えば、本実施形態のように、壁面材２を下地材とした場合には、ボードアンカー（ボードファスナー）タイプのものとしてもよい。このように、ボードアンカーのねじＢによって固定金具３０を、壁面材２に固定する際には、該固定金具３０の上記位置決め用入隅部３３ａを、建築用パネル５０のコーナー部５２の出隅に沿うように当接させ、その状態で、挿通孔３２の位置を壁面材２にマーキングし、該マーキングをした部位に、ボードアンカー用の下穴をドリル等で穿設して、ボードアンカーを挿入し、ねじＢを締め付けた後、ねじＢを脱離させ、固定金具３０をボードアンカーにセットして、ねじＢを締め付けることで、固定金具３０を壁面材２に対して固定するようにしてもよい。
【００６３】
次いで、図２（ｂ）に示すように、上記のように各コーナー部において近接して配置された各見切りカバー部材２０，２０の上記各端部に、これら各端部、上記固定金具３０及び各コーナー部５２を覆うように、上記コーナーカバー４０を取付ける。
このコーナーカバー４０の取付けは、当該コーナーカバー４０の上記棚状部４７の対面部４７ａと両側板部４５，４５の両内側面とによって形成された空所に接着剤等を充填するようにして塗布し、当該コーナーカバー４０の上記内方側係止突起４４，４４及び外方側係止突起４６，４６を、上記したように、各見切りカバー部材２０，２０の被係止部（当接片カバー部２２の内方側端部及び切欠段部２５）に係止させることで、容易に取付けることができる。
以上のようにして、各部材を壁面材２に対して取付け施工して、図２（ａ）に示すように、複数枚の建築用パネル５０が壁面材２に取付け施工される。
尚、上記固定金具３０を壁面材２に対して固定するための固定止具は、例えば、ビスや釘等、どのようなものでもよい。
また、上記施工手順は、一例に過ぎず、各部材の機能を阻害しない限りにおいて、別手順でなされるようにしてもよい。
【００６４】
上記のように施工された建築用パネル５０を、交換等したい場合には、例えば、上記コーナーカバー４０を見切りカバー部材２０から脱離させ、次いで、上記固定金具３０を壁面材２から脱離させて、見切りカバー部材２０を見切り受け部材１０から脱離させる。そして、上記横目地部材４及び縦目地部材７の各カバー目地部材６，９を、各目地受け部材５，８から脱離させることで、各建築用パネル５０を容易に脱離させることができる。
【００６５】
以上のように、本実施形態に係るパネル外周部納め用部材１を用いた建築用パネルの外周部納め構造によれば、建築用パネル５０の集合体の外周部を、上記見切り縁材の見切りカバー部２０と、上記コーナーカバー４０とによって見栄え良く納めることができる。
また、上記見切りカバー部材２０の端面カバー部２４の下地材側縁部の表面側には、長手方向に沿ってシーリング材充填用の切欠段部２５が形成されているので、該切欠段部２５と、上記壁面材２とによって形成された上記凹溝部にシーリング材ｓｍを充填することができる。従って、施工された建築用パネルに対面した際に、上記切欠段部２５に充填されたシーリング材ｓｍが目立ち難く、該建築用パネルの外周部を、外観良く納めることができる。
【００６６】
また、上記コーナーカバー４０の各側板部４５，４５の内側面には、外方側係止突起４６，４６が設けられているので、上記見切りカバー部材２０の切欠段部２５を、コーナーカバー４０の被係止部として兼用することができる。
また、特に、本実施形態では、コーナーカバー４０の内側垂れ部４３，４３にも、見切りカバー部材２０に係止する内方側係止突起４４，４４が設けられているので、これら内方側係止突起４４，４４と、上記外方側係止突起４６，４６とによって、当該コーナーカバー４０を、見切りカバー部材２０に対して強固に係止させることができるとともに、容易に取付けることができ、施工性を向上させることができる。
さらに、上記コーナーカバー４０の側板部４５，４５の各内側面にて形成される入隅部には、上記対面部４７ａを有した棚状部４７が設けられているので、当該コーナーカバー４０を、上記壁面材２に対して接着剤にて接着する際に、上記棚状部４７の対面部４７ａと、壁面材２との間の空所に、接着剤を介在させることができ、上記壁面材２に対するコーナーカバー４０の接着性を向上させることができる。
【００６７】
さらにまた、上記建築用パネル５０の集合体の外周端部に沿ってそれぞれ配設される見切り縁材は、互いに着脱自在に係合される見切り受け部材１０と、見切りカバー部材２０とから構成されているので、容易に施工することができる。
また、上記のように、壁面材２に固定された見切り受け部材１０に対して取付けられる見切りカバー部材２０は、壁面材２に固定された固定金具３０によって、壁面材２に対して強固に固定保持されるので、上記見切りカバー部材２０が見切り受け部材１０から脱離するようなことがなく、該見切りカバー部材２０を壁面材２に対して強固に固定させることができる。これにより、見切りカバー部材２０を壁面材２に対して強固に固定させた状態で、上記端面カバー部２４に設けられたシーリング材充填用の切欠段部２５にシーリング材ｓｍを充填することができるので、乾燥、硬化したシーリング材ｓｍが変形するようなことを低減できる。また、経年変化等によって浮きや隙間等が生じることを低減できる。
さらに、上記のように各見切りカバー部材２０が壁面材２に対して強固に固定される構造とされているので、建築用パネル５０の外周端部５１を、より強固に保持できる。すなわち、本実施形態に係る建築用パネルの外周部納め構造によれば、合成樹脂製の見切り受け部材１０と、金属製の見切りカバー部材２０とによって、建築用パネル５０の外周端部５１を保持できるとともに、その金属製の見切りカバー部材２０を、壁面材２に対して固定することで、該外周端部５１が強固に保持される。
【００６８】
さらに、本実施形態では、上記固定金具３０は、上記表面カバー部２１の各端部２１ａの表面にそれぞれ当接される一対の押さえ片３４，３４を有したものとしているので、該固定金具３０を簡易な構造とできるとともに、見切りカバー部材２０側にも固定金具３０を係合させるための係合部等を形成する必要がなく、該見切りカバー部材２０を簡易な構造とできる。
また、該固定金具３０の一対の押さえ片３４，３４は、上記コーナーカバー４０の天板部４１に形成された収容凹部４２，４２に収容されるので、該固定金具３０が露出するようなことがなく、美観性を向上させることができる。
【００６９】
さらにまた、本実施形態では、壁面材２に固定された見切り受け部材１０の当接片部１５によって、施工時に建築用パネル５０を仮保持でき、施工性を向上させることができる。
また、該見切り受け部材１０は、上記のように、本実施形態では、合成樹脂製としているので、上記建築用パネル５０の外周端部５１を、上記コ字状空間に嵌め入れる際に、上記見切り受け部材１０の当接片部１５によって、上記建築用パネル５０の外周端部における各端面近傍表面５４が傷付けられるようなことがない。また、該当接片部１５は、上記のように金属製の見切りカバー部材２０の当接片カバー部２２によって、強固に補強されるので、建築用パネル５０の外周端部５１を、これら見切り受け部材１０と見切りカバー部材２０とによって強固に保持することができる。
さらに、本実施形態では、上記見切り受け部材１０の当接片部１５は、その内方側端部に、上記建築用パネル５０の表面５４側に向けて折り曲げ形成されるとともに、該表面５４に当接される折り曲げ片部１５ａを有しているので、例えば、該当接片部の建築用パネル側の面が平らに形成されているものと比べて、該建築用パネル表面との当接が確実になされ、建築用パネル５０の表面５４と該当接片部１５の折り曲げ片部１５ａとの間に浮きや隙間等が生じることを低減できる。
【００７０】
また、本実施形態では、上記見切り受け部材１０の立ち上がり壁部１３における上記建築用パネル５０の外周端部５１における端面５３に対面される対面部の先端側部位に、上記のように段状の切欠を形成している。従って、見切り受け部材１０の立ち上がり壁部１３の上記基端側対面部１３ａに、上記建築用パネル５０の端面５３を当接させて施工した際に、上記段状の切欠が、上記見切りカバー部材２０の係合突条２３を上記係合凹溝１４に嵌め入れる際における該立ち上がり壁部１３の建築用パネル端面方向への弾性変形を許容する逃げ凹所として機能する。これにより、該見切り受け部材１０の係合凹溝１４への見切りカバー部材２０の係合突条２３の嵌め入れが、スムーズになされ、見切り受け部材１０と見切りカバー部材２０との組み付け性を阻害することがない。
【００７１】
さらに、本実施形態において説明した建築用パネル５０の施工態様の一例では、複数枚の建築用パネル５０を、縦横に並列させて配置し、上下に隣接した端部間に、上記横目地部材４を介在させ、その鍔部６ｃによって、各建築用パネル５０の上下端部の表面を保持する構造とするとともに、該横目地部材４の長手方向の両端部は、上記見切りカバー部材２０の当接片カバー部２２によって上記のように抜け止めがなされているので、建築用パネル５０の集合体の外周端部のみならず、各建築用パネル５０の各端部の脱離も防止することができる。
【００７２】
尚、本実施形態では、見切りカバー部材が見切り受け部材に対して着脱自在に係合保持される構造とした例を示しているが、着脱不能あるいは容易に着脱できない構造としてもよい。或いは、見切り縁材を、例えば、一部材で形成したものとしてもよい。
また、上記見切り受け部材の係合凹溝及び該係合凹溝に嵌め入れられる上記見切りカバー部材の係合突条の形状は、図例のような凹溝状及び突条とされたものに限られず、例えば、上記見切り受け部材及び上記見切りカバー部材の一方の適所に形成した凹部と、他方に形成され、該凹部に嵌め入れられる凸部とされたものとしてもよい。
さらに、本実施形態では、これら係合突条と係合凹溝との係合方向が壁面材２に対して略垂直となる方向に沿って係合される構造とされたものを例示しているが、壁面材２の面と平行な方向に沿って係合される構造としてもよい。
【００７３】
さらにまた、本実施形態では、見切り受け部材を壁面材に固定するための固定片部として、立ち上がり壁部１３から幅方向両側に延設された第１固定片部１１と第２固定片部１２とを有した態様を例示しているが、いずれか一方、例えば、幅方向外方側に向けて延設された固定片部のみを有した態様としてもよい。
また、本実施形態では、見切り受け部材の当接片部を、その内方側端部に折り曲げ片部を有した態様を例示しているが、折り曲げ片部を設けずに、当接片部の裏面を略平らに形成したものとしてもよい。
さらに、本実施形態では、見切り受け部材の立ち上がり壁部の上記対面部に、段状の切欠を形成した態様を例示しているが、該対面部を略平らな面としてもよい。
さらにまた、本実施形態では、見切り受け部材に当接片部を設けて、該見切り受け部材によって、上記コ字状空間を構成する態様を例示しているが、例えば、該見切り受け部材に当接片部を設けずに、該見切り受け部材を立ち上がり壁部と固定片部とからなるものとし、これら立ち上がり壁部及び固定片部と、上記見切りカバー部材の当接片カバー部とによって、上記したようなコ字状空間を構成するような態様としてもよい。
【００７４】
さらにまた、本実施形態では、見切り縁材の両端部を、固定金具３０によって、壁面材２に対して固定保持する態様を例示しているが、このような固定金具３０を設けないようにしてもよい。
また、本実施形態では、上記固定金具３０の一対の押さえ片３４，３４を、見切りカバー部材２０の表面カバー部２１の各端部２１ａの表面に当接させて、該見切りカバー部材２０を壁面材２に対して固定保持させる態様を例示しているが、例えば、見切りカバー部材の端面カバー部２４の内方側面に、上記固定金具の一対の押さえ片が当接される係止受け片を形成するような態様としてもよい。
さらに、上記固定金具３０は、図例のような一対の押さえ片３４，３４を備えた一体的に形成されたものに限られず、例えば、上記見切りカバー部材２０の各端部に係合してこれら見切りカバー部材２０を壁面材２に対して固定保持する機能を備えたものであれば、どのような形状のものとしてもよい。
さらにまた、本実施形態では、上記コーナーカバー４０に、外方側係止突起４６，４６、内方側係止突起４４，４４、棚状部４７、及び収容凹部４２，４２を設けた態様を例示しているが、例えば、これらのいずれか或いは全てを設けないような態様としてもよい。
【符号の説明】
【００７５】
１          パネル外周部納め用部材
２          壁面材（下地材）
３          天井材（下地材）
１０        見切り受け部材（見切り縁材、パネル外周部納め用部材）
１４        係合凹溝（係合凹部）
２０        見切りカバー部材（見切り縁材、パネル外周部納め用部材）
２１        表面カバー部
２１ａ      表面カバー部のコーナー部側の端部
２３        係合突条（係合凸部）
２４        端面カバー部
２５        切欠段部
３０        固定金具（固定具、パネル外周部納め用部材）
３１        固定基部
３４        押さえ片
４０        コーナーカバー（パネル外周部納め用部材）
４２        収容凹部
４６        外方側係止突起（係止突起）
４７        棚状部（突起部）
４７ａ      対面部
５０        建築用パネル
５１        建築用パネルの外周端部
５２        建築用パネルの外周部におけるコーナー部
５３        外周端部の端面
５４        外周端部の表面
ｓｍ        シーリング材
【図１】
2010168858.tif 000003
【図２】
2010168858.tif 000004
【図３】
2010168858.tif 000005
【図４】
2010168858.tif 000006
【図５】
2010168858.tif 000007
【図６】
2010168858.tif 000008
【図７】
2010168858.tif 000009